(57)【要約】【課題】冷房と暖房が混在する運転が可能な空気調和装置（1）を、冷房と暖房を切り換えて行う既設の空気調和装置から低コストで容易に更新できるようにする。【解決手段】各室内ユニット（3）の冷媒流れ方向を冷暖切り換えに対応して切り換える運転切り換えユニット（5）を室内部連絡配管（13，14）で室内ユニット（3）ごとに接続し、気液分離ユニット（4）を室外ユニット（2）に室外部連絡配管（11，12）で接続し、気液分離ユニット（4）と運転切り換えユニット（5）を既設の２本の中間部連絡配管（15，16）と新設の１本の中間部連絡配管（17）で接続する。【選択図】図１
2014129948.tif 000002
【特許請求の範囲】
【請求項１】
室外ユニット（2）と複数の室内ユニット（3）とを備え、冷房と暖房が混在する冷凍サイクルが可能な冷媒回路（20）を有する空気調和装置であって、
室内ユニット（3）ごとに２本の室内部連絡配管（13，14）で接続され、各室内ユニット（3）の冷暖切り換えに対応して室内部連絡配管（13，14）の冷媒流れ方向を切り換える複数の運転切り換えユニット（5）と、
２本のガス配管と１本の液配管とを含む３本の中間部連絡配管（15，16，17）で各運転切り換えユニット（5）が並列に接続されるとともに、２本の室外部連絡配管（11，12）で室外ユニット（2）に接続される、運転切り換えユニット（5）とは別体の気液分離ユニット（4）とを備え、
運転切り換えユニット（5）が、中間部連絡配管（15，16，17）と室内部連絡配管（13，14）との間で液冷媒とガス冷媒の流路を切り換える流路切り換え回路（65）を備え、
気液分離ユニット（4）が、気液分離器（41）と、中間部連絡配管（15，16，17）における液冷媒とガス冷媒の流れを切り換える冷媒流路切り換え回路（42）とを備えていることを特徴とする空気調和装置。
【請求項２】
請求項１において、
上記冷媒回路（20）の冷媒は、ジフルオロメタンであることを特徴とする空気調和装置。
【請求項３】
室外ユニット（2）と複数の室内ユニット（3）とが第１連絡配管（11）と第２連絡配管（12）とで接続され、冷房と暖房を切り換える冷凍サイクルを行う空気調和装置から、冷房と暖房が混在する冷凍サイクルが可能な冷媒回路（20）を有する構成に更新される空気調和装置であって、
室内ユニット（3）ごとに２本の室内部連絡配管（13，14）で接続され、各室内ユニット（3）の冷暖切り換えに対応して室内部連絡配管（13，14）の冷媒流れ方向を切り換える複数の運転切り換えユニット（5）と、
２本のガス配管と１本の液配管とを含む３本の中間部連絡配管（15，16，17）で各運転切り換えユニット（5）が並列に接続されるとともに、２本の室外部連絡配管（11，12）で室外ユニット（2）に接続される、運転切り換えユニット（5）とは別体の気液分離ユニット（4）とを備え、
運転切り換えユニット（5）が、中間部連絡配管（15，16，17）と室内部連絡配管（13，14）との間で液冷媒とガス冷媒の流路を切り換える流路切り換え回路（65）を備え、
気液分離ユニット（4）が、気液分離器（41）と、中間部連絡配管（15，16，17）における液冷媒とガス冷媒の流れを切り換える冷媒流路切り換え回路（42）とを備えていることを特徴とする空気調和装置。
【請求項４】
請求項３において、
上記３本の中間部連絡配管（15，16，17）のうちの１本のガス配管（17）が、更新時に新設される配管であることを特徴とする空気調和装置。
【請求項５】
請求項３または４において、
更新後の冷媒回路（20）の冷媒は、ジフルオロメタンであることを特徴とする空気調和装置の施工方法。
【請求項６】
室外ユニット（2）と複数の室内ユニット（3）とを備えて冷房と暖房を切り換える冷凍サイクルが可能な冷媒回路を有する空気調和装置を、冷房と暖房が混在する冷凍サイクルが可能な冷媒回路（20）を有する空気調和装置に更新する施工方法であって、
各室内ユニット（3）の冷媒流れ方向を冷暖切り換えに対応して切り換える運転切り換えユニット（5）を、既設連絡配管の一部である２本の室内部連絡配管（13，14）で室内ユニット（3）ごとに接続する運転切り換えユニット接続工程と、
運転切り換えユニット（5）とは別体に構成されるとともに、気液分離器（41）と、液冷媒及びガス冷媒の流れを切り換える冷媒流路切り換え回路（42）とを備える気液分離ユニット（4）を、既設連絡配管の他の一部である２本の室外部連絡配管（11，12）で室外ユニット（2）に接続する気液分離ユニット接続工程と、
上記運転切り換えユニット（5）を、気液分離ユニット（4）に対して、既設連絡配管の他の一部である２本の中間部連絡配管（15，16）と、新設される１本の中間部連絡配管（17）とで並列に接続する配管接続工程と、
を有することを特徴とする空気調和装置の施工方法。
【請求項７】
請求項６において、
更新後の空気調和装置の冷媒回路（20）に、冷媒としてジフルオロメタンを充填する工程を有することを特徴とする空気調和装置の施工方法。
【発明の詳細な説明】
【技術分野】
【０００１】
本発明は、冷房と暖房が混在する運転を行えるように構成された空気調和装置と、冷房と暖房とを混在させずに切り換えて行う室内マルチタイプの既設の空気調和装置を冷房と暖房が混在する運転が可能な空気調和装置に更新する施工方法に関するものである。
【背景技術】
【０００２】
従来より、室外ユニットに対して並列に接続された複数の室内ユニットを有する室内マルチタイプで冷房と暖房が混在する運転が可能に構成された、いわゆる冷暖フリー型の空気調和装置が知られている（例えば、特許文献１参照）。特許文献１には、冷房と暖房とを混在させずに切り換えて行う室内マルチタイプの既設の空気調和装置を冷暖フリー型に更新することが開示されている。
【０００３】
特許文献１の空気調和装置では、図３に示すように更新前は２本の連絡配管（11，12，13，14）で室外ユニット（2）と複数の室内ユニット（3）が接続されて冷房と暖房を切り換えて行う空気調和装置（1A）を、図５に示す更新後には、冷暖切り換えユニット（6）を設けることにより、各室内ユニット（3）が冷暖切り換えユニット（6）に並列に接続される構成となる。この構成では、冷暖切り換えユニット（6）で各室内ユニット（3）に対する冷媒の流れ方向が切り換えられて、冷房と暖房が混在する運転が可能となる。
【先行技術文献】
【特許文献】
【０００４】
【特許文献１】特開２００４−３０９０８８号公報
【発明の概要】
【発明が解決しようとする課題】
【０００５】
しかしながら、図５の空気調和装置では、室外ユニット（2）と冷暖切り換えユニット（6）の間に（A）で示す連絡配管（11，12）は既設のものを流用することが可能であるものの、冷暖房切り換えユニット（6）と各室内ユニット（3）の間に（B）で示す連絡配管（13，14）は既設のものをほとんど流用することができず、新たな連絡配管を用いる必要がある。そのため、特許文献１の装置では、施工が大がかりになり、コストが高くなる問題があった。
【０００６】
本発明は、このような問題点に鑑みてなされたものであり、その目的は、冷房と暖房が混在する運転が可能な空気調和装置を、冷房と暖房を切り換えて行うように構成された既設の空気調和装置から低コストで容易に更新できるようにすることである。
【課題を解決するための手段】
【０００７】
第１の発明は、室外ユニット（2）と複数の室内ユニット（3）とを備え、冷房と暖房が混在する冷凍サイクルが可能な冷媒回路（20）を有する空気調和装置を前提としている。
【０００８】
そして、この空気調和装置は、室内ユニット（3）ごとに２本の室内部連絡配管（13，14）で接続され、各室内ユニット（3）の冷暖切り換えに対応して室内部連絡配管（13，14）の冷媒流れ方向を切り換える複数の運転切り換えユニット（5）と、２本のガス配管と１本の液配管とを含む３本の中間部連絡配管（15，16，17）で各運転切り換えユニット（5）が並列に接続されるとともに、２本の室外部連絡配管（11，12）で室外ユニット（2）に接続される、運転切り換えユニット（5）とは別体の気液分離ユニット（4）とを備え、運転切り換えユニット（5）が、中間部連絡配管（15，16，17）と室内部連絡配管（13，14）との間で液冷媒とガス冷媒の流路を切り換える流路切り換え回路（65）を備え、気液分離ユニット（4）が、気液分離器（41）と、中間部連絡配管（15，16，17）における液冷媒とガス冷媒の流れを切り換える冷媒流路切り換え回路（42）とを備えていることを特徴としている。
【０００９】
第２の発明は、第１の発明において、上記冷媒回路（20）の冷媒が、ジフルオロメタンであることを特徴としている。
【００１０】
第３の発明は、室外ユニット（2）と複数の室内ユニット（3）とが第１連絡配管（11）と第２連絡配管（12）とで接続され、冷房と暖房を切り換える冷凍サイクルを行う空気調和装置から、冷房と暖房が混在する冷凍サイクルが可能な冷媒回路（20）を有する構成に更新される空気調和装置を前提としている。
【００１１】
そして、この空気調和装置は、室内ユニット（3）ごとに２本の室内部連絡配管（13，14）で接続され、各室内ユニット（3）の冷暖切り換えに対応して室内部連絡配管（13，14）の冷媒流れ方向を切り換える複数の運転切り換えユニット（5）と、２本のガス配管と１本の液配管とを含む３本の中間部連絡配管（15，16，17）で各運転切り換えユニット（5）が並列に接続されるとともに、２本の室外部連絡配管（11，12）で室外ユニット（2）に接続される、運転切り換えユニット（5）とは別体の気液分離ユニット（4）とを備え、運転切り換えユニット（5）が、中間部連絡配管（15，16，17）と室内部連絡配管（13，14）との間で液冷媒とガス冷媒の流路を切り換える流路切り換え回路（65）を備え、気液分離ユニット（4）が、気液分離器（41）と、中間部連絡配管（15，16，17）における液冷媒とガス冷媒の流れを切り換える冷媒流路切り換え回路（42）とを備えていることを特徴としている。
【００１２】
第４の発明は、第３の発明において、上記３本の中間部連絡配管（15，16，17）のうちの１本のガス配管（17）が、更新時に新設される配管であることを特徴としている。
【００１３】
第５の発明は、第３または第４の発明において、更新後の冷媒回路（20）の冷媒が、ジフルオロメタンであることを特徴としている。
【００１４】
第６の発明は、室外ユニット（2）と複数の室内ユニット（3）とを備えて冷房と暖房を切り換える冷凍サイクルが可能な冷媒回路を有する空気調和装置を、冷房と暖房が混在する冷凍サイクルが可能な冷媒回路（20）を有する空気調和装置に更新する施工方法を前提としている。
【００１５】
そして、この空気調和装置の施工方法は、各室内ユニット（3）の冷媒流れ方向を冷暖切り換えに対応して切り換える運転切り換えユニット（5）を、既設連絡配管の一部である２本の室内部連絡配管（13，14）で室内ユニット（3）ごとに接続する運転切り換えユニット接続工程と、運転切り換えユニット（5）とは別体に構成されるとともに、気液分離器（41）と、液冷媒及びガス冷媒の流れを切り換える冷媒流路切り換え回路（42）とを備える気液分離ユニット（4）を、既設連絡配管の他の一部である２本の室外部連絡配管（11，12）で室外ユニット（2）に接続する気液分離ユニット接続工程と、上記運転切り換えユニット（5）を、気液分離ユニット（4）に対して、既設連絡配管の他の一部である２本の中間部連絡配管（15，16）と、新設される１本の中間部連絡配管（17）とで並列に接続する配管接続工程とを有することを特徴としている。
【００１６】
第７の発明は、第６の発明において、更新後の空気調和装置の冷媒回路（20）に、冷媒としてジフルオロメタンを充填する工程を有することを特徴としている。
【発明の効果】
【００１７】
本発明によれば、運転切り換えユニット（5）と気液分離ユニット（4）が別体に設けられるため、各ユニットをコンパクトに設計することが可能となり、各ユニットの設置の自由度が向上する。また、両ユニット（4，5）が一体に形成される構成と比べて、設置される室内ユニット（3）の数に対応して自由に施工することが可能である。
【００１８】
上記第３の発明によれば、室外ユニット（2）と複数の室内ユニット（3）とを備えて冷房と暖房を切り換える冷凍サイクルを冷媒回路で行う空気調和装置を、冷房と暖房が混在する冷凍サイクルが可能な冷媒回路（20）を有する空気調和装置に更新する際に、運転切り換えユニット接続工程と、気液分離ユニット接続工程と、配管接続工程の各工程が行われる。そして、こうすることにより、冷房と暖房を切り換えて行う空気調和装置を冷暖フリーの空気調和装置に容易に更新することができる。また、室外部連絡配管（11，12）と室内部連絡配管（13，14）と２本の中間部連絡配管（15，16）は既設の連絡配管を用いることができ、新設の連絡配管は１本の中間部連絡配管（17）を追加するだけである。従って、施工を低コストで行うことができる。
【００１９】
上記第６の発明の施工方法において、運転切り換えユニット接続工程を最初の工程にしてもよいし、気液分離ユニット接続工程を最初の工程にしてもよい。また、配管接続工程は第２の工程にしてもよいし、最後の工程にしてもよい。本発明によれば、実施する工程の順にかかわらず、施工を簡単に行うことができる。また、本発明によれば、既設の連絡配管の一部である室内部連絡配管（13，14）、既設の連絡配管の一部である室外部連絡配管（11，12）及び既設の連絡配管の一部である中間部連絡配管（15．16）を用いることができ、新設の連絡配管は１本の中間部連絡配管（17）だけである。従って、施工を低コストで行うことができる。
【００２０】
上記第７の発明によれば、冷媒として高圧作動冷媒であるジフルオロメタンを用いることから、冷媒圧力損失の許容範囲が大きくなる。また、通常、第１連絡配管（11）及び第２連絡配管（12）の２本の連絡配管を用いて冷暖フリー型の空気調和装置を新規で現地に施工する場合、当該２本の配管の管径の差は、冷房と暖房を切り換える更新前の空気調和装置で用いる第１連絡配管（11）及び第２連絡配管（12）の２本の配管の管径の差よりも、小さくするのが一般的である。しかしながら、本発明では、高圧作動冷媒であるジフルオロメタンを用いることから、冷暖フリー型の空気調和装置でありながら、冷房と暖房を切り換える冷凍サイクルが可能な冷媒回路を有する空気調和装置の既設の連絡配管を用いて、冷暖フリー型の空気調和装置へ更新することが可能となる。
【図面の簡単な説明】
【００２１】
【図１】図１は、本発明の実施形態１に係る空気調和装置の冷媒回路図である。
【図２】図２（Ａ）は、空気調和装置の４つの運転状態を冷房と暖房の負荷比で表したグラフ、図２（Ｂ）は、運転状態ごとの冷媒の流れを示す表である。
【図３】図３は、各室内ユニットが室外ユニットに対して並列に接続されて冷暖房を切り換え可能な室内マルチタイプの空気調和装置の概略構成図である。
【図４】図４は、冷房と暖房が混在する運転が可能な実施形態の空気調和装置の概略構成図である。
【図５】図５は、従来の一般的な冷暖フリータイプの空気調和装置（比較例）の概略構成図である。
【図６】図１の冷媒回路において第１暖房主体運転の冷媒流れを示す図である。
【図７】図７は、図１の冷媒回路において冷房負荷を含む第１暖房主体運転の冷媒流れを示す図である。
【図８】図８は、図１の冷媒回路において第２暖房主体運転の冷媒流れを示す図である。
【図９】図９は、図１の冷媒回路において第１冷房主体運転の冷媒流れを示す図である。
【図１０】図１０は、図１の冷媒回路において第２冷房主体運転の冷媒流れを示す図である。
【発明を実施するための形態】
【００２２】
以下、本発明の実施形態を図面に基づいて詳細に説明する。
【００２３】
《発明の実施形態１》
本発明の実施形態１について説明する。
【００２４】
この実施形態は、室外ユニットに対して並列に接続された複数の室内ユニットを有し、冷房と暖房が混在する運転が可能に構成されたいわゆる冷暖フリー型の空気調和装置に関するものである。この空気調和装置は、冷房と暖房とを混在させずに切り換えて行う室内マルチタイプの既設の空気調和装置を、冷暖フリー型の空気調和装置に更新するのに適した構成を備えている。以下の説明において、更新前の装置の冷媒回路には旧冷媒としてＲ４１０ＡまたはＲ２２が充填され、更新後の装置の冷媒回路には新冷媒としてＲ３２（ジフルオロメタン）が充填されるものとする。
【００２５】
図１に示すように、この空気調和装置（1）は、室外ユニット（2）と、複数（図では３台）の室内ユニット（3）と、気液分離器を有する気液分離ユニット（4）と、上記室内ユニット（3）と同数の運転切り換えユニット（5）とを有している。上記気液分離ユニット（4）は、運転切り換えユニット（5）とは別体のユニットであり、２本の室外部連絡配管（11，12）を介して室外ユニット（2）に接続されている。上記運転切り換えユニット（5）は、室内ユニット（3）ごとに２本の室内部連絡配管（13，14）で接続され、気液分離ユニット（4）に対しては３本の中間部連絡配管（15，16，17）で並列に接続されている。上記室外ユニット（2）と気液分離ユニット（4）と運転切り換えユニット（5）と室内ユニット（3）を接続することにより、冷暖フリータイプの冷凍サイクルが可能な冷媒回路（20）が構成されている。
【００２６】
室外部連絡配管（11，12）は、室外部第１連絡配管（11）と室外部第２連絡配管（12）とから構成されている。室内部連絡配管（13，14）は、室内部第１連絡配管（13）と室内部第２連絡配管（14）とから構成されている。中間部連絡配管（15，16，17）は、中間部第１連絡配管（15）と中間部第２連絡配管（16）と中間部第３連絡配管（17）とから構成されている。室外部連絡配管（11，12）と室内部連絡配管（13，14）と中間部連絡配管（15，16，17）について、各第１連絡配管（11，13，15）は内径が互いに同じであり、各第２連絡配管（12，14，16）は内径が互いに同じで第１連絡配管の内径よりも大きい。また、中間部第３連絡配管（17）の内径は中間部第２連絡配管（16）と内径が同じである。
【００２７】
室外ユニット（2）は、冷媒を圧縮する圧縮機（21）と、冷媒と室外空気とが熱交換をする室外熱交換器（熱源側熱交換器）（22）と、室外部第１連絡配管（11）及び室外部第２連絡配管（12）における冷媒の流れ方向を切り換えるための切り換え機構（23）とを有している。この室外ユニット（2）は、室外部第１連絡配管（11）が接続される第１室外連絡配管ポート（2a）と、室外部第２連絡配管（12）が接続される第２室外連絡配管ポート（2b）を有している。上記切り換え機構（23）は、三方弁（運転状態切り換え部）（24）と、４つの電動弁（35，36，37，38）を組み合わせて構成した切り換え回路（配管切り換え部）（25）とを有している。
【００２８】
圧縮機（21）の吐出側配管（26）は三方弁（24）の第１ポート（24a）に接続され、三方弁（24）の第２ポート（24b）は室外熱交換器（22）のガス側端に接続され、三方弁（24）の第３ポート（24c）は圧縮機（21）の吸入側配管（27）に接続されている。室外熱交換器（22）の液側端は切り換え回路（25）に接続されている。上記三方弁（24）は、圧縮機（21）の吐出側配管（26）及び吸入側配管（27）の一方が室外熱交換器（22）のガス側端に連通するように該吐出側配管（26）と吸入側配管（27）の連通状態を切り換える切換弁である。
【００２９】
切り換え回路（25）は、４つの通路（31，32，33，34）と、この４つの通路（31，32，33，34）をそれぞれの端部で相互に接続した４つの接続点（第１接続点（P11）、第２接続点（P12）、第３接続点（P13）及び第４接続点（P14））と、各通路（31，32，33，34）に設けられた上記の４つの電動弁（開閉機構）（35，36，37，38）とを有している。４つの電動弁として、第１通路（31）には室外第１電動弁（35）が、第２通路（32）には室外第２電動弁（36）が、第３通路（33）には室外第３電動弁（37）が、第４通路（34）には室外第４電動弁（38）が設けられている。切り換え回路（25）は、具体的には、第１接続点（P11）と第２接続点（P12）とが第１通路（31）で接続され、第２接続点（P12）と第３接続点（P13）とが第２通路（32）で接続され、第３接続点（P13）と第４接続点（P14）とが第３通路（33）で接続され、第４接続点（P14）と第１接続点（P11）とが第４通路（34）で接続されている。
【００３０】
上記切り換え回路（25）の第１接続点（P11）は圧縮機（21）の吐出側配管（26）に配管接続され、第２接続点（P12）は室外部第１連絡配管（11）に配管接続されている。また、第３接続点（P13）は室外熱交換器（22）の液側端に配管接続され、第４接続点（P14）は室外部第２連絡配管（12）と圧縮機（21）の吸入側配管（27）とに分岐配管（28a，28b）で接続されている。第４接続点（P14）と圧縮機（21）の吸入側配管（27）との間の分岐配管（28b）には、電磁弁（開閉弁）（29）が設けられている。
【００３１】
上記気液分離ユニット（4）は、気液分離器（41）と、中間部連絡配管（15，16，17）及び室外部連絡配管（11，12）における液冷媒（または二相冷媒）とガス冷媒の流れを切り換える冷媒流路切り換え回路（42）とを有している。また、気液分離ユニット（4）は、室外部第１連絡配管（11）が接続される第１室外連絡配管ポート（4a）と、室外部第２連絡配管（12）が接続される第２室外連絡配管ポート（4b）を有している。気液分離ユニット（4）は、中間部第１連絡配管（15）が接続される第１中間連絡配管ポート（4c）、中間部第２連絡配管（16）が接続される第２中間連絡配管ポート（4d）、及び中間部第３連絡配管（17）が接続される第３中間連絡配管ポート（4e）を有している。
【００３２】
上記冷媒流路切り換え回路（42）は、４つの通路（43a，43b，43c，43d）と、この４つの通路（43a，43b，43c，43d）をそれぞれの端部で相互に接続した４つの接続点（第１接続点（P21）、第２接続点（P22）、第３接続点（P23）及び第４接続点（P24））と、各通路（43a，43b，43c，43d）に設けられた４つの逆止弁（CV1，CV2，CV3，CV4）とを有する回路である。
【００３３】
冷媒流路切り換え回路（42）の第１接続点（P21）は、第１接続管（51）で第２中間連絡配管ポート（4d）に接続されている。冷媒流路切り換え回路（42）の第２接続点（P22）は、第２接続管（52）で第１室外連絡配管ポート（4a）に接続されている。冷媒流路切り換え回路（42）の第３接続点（P23）は、第３接続管（53）で気液分離器（41）の冷媒流入口（41a）に接続されている。冷媒流路切り換え回路（42）の第４接続点（P24）は、第４接続管（54）で第２室外連絡配管ポート（4b）に接続されている。
【００３４】
気液分離器（41）のガス冷媒流出口（41b）は、第５接続管（55）で第３中間連絡配管ポート（4e）に接続されている。気液分離器（41）の液冷媒流出口（41c）は、中間第１電動弁（58）を有する第６接続管（56）で第１中間連絡配管ポート（4c）に接続されている。第６接続管（56）には、中間第１電動弁（58）と第１中間連絡配管ポート（4c）の間に第７接続管（57）が接続されている。第７接続管（57）は第１分岐管（57a）と第２分岐管（57b）を有する分岐配管であって、第１分岐管（57a）が第１接続管（51）に、第２分岐管（57b）が第２接続管（52）に接続されている。第１分岐管（57a）及び第２分岐管（57b）には、それぞれ中間第２電動弁（59a）及び中間第３電動弁（59b）が設けられている。
【００３５】
冷媒流路切り換え回路（42）には、上記の４つの逆止弁として、第１接続点（P21）から第２接続点（P22）へ向かう冷媒流れを許容して逆方向への冷媒流れを禁止する第１逆止弁（CV1）と、第２接続点（P22）から第３接続点（P23）へ向かう冷媒流れを許容して逆方向への冷媒流れを禁止する第２逆止弁（CV2）と、第１接続点（P21）から第４接続点（P24）へ向かう冷媒流れを許容して逆方向への冷媒流れを禁止する第３逆止弁（CV3）と、第４接続点（P24）から第３接続点（P23）へ向かう冷媒流れを許容して逆方向への冷媒流れを禁止する第４逆止弁（CV4）とが設けられている。
【００３６】
また、冷媒流路切り換え回路（42）の通路（43b）には、第２接続点（P22）と第２逆止弁（CV2）の間に中間第４電動弁（59c）が設けられている。中間第４電動弁（59c）は、後述する全冷房運転（図１０）のときに閉鎖して、冷媒が気液分離器（41）に流入するのを防止する弁である。
【００３７】
上記運転切り換えユニット（5）は、室内ユニット（3）ごとに２本の室内部連絡配管（13，14）で接続されている。各運転切り換えユニット（5）は、各室内ユニット（3）の冷暖切り換えに対応して中間部連絡配管（15，16，17）と室内部連絡配管（13，14）との間で液冷媒とガス冷媒の流路を切り換える流路切り換え回路（65）を有している。また、各運転切り換えユニット（5）は、室内部第１連絡配管（13）が接続される第１室内連絡配管ポート（5a）と、室内部第２連絡配管（14）が接続される第２室内連絡配管ポート（5b）と、中間部第１連絡配管（15）が接続される第１中間連絡配管ポート（5c）と、中間部第２連絡配管（16）が接続される第２中間連絡配管ポート（5d）と、中間部第３連絡配管（17）が接続される第３中間連絡配管ポート（5e）を有している。
【００３８】
運転切り換えユニット（5）は、第１室内連絡配管ポート（5a）と第１中間連絡配管ポート（5c）を接続する第１連通管（61）と、第２室内連絡配管ポート（5b）に対して第２中間連絡配管ポート（5d）と第３中間連絡配管ポート（5e）を並列に接続する第２連通管（62）とを有している。第２連通管（62）は、第２中間連絡配管ポート（5d）に接続される第１分岐管（62a）と、第２中間連絡配管ポート（5d）に接続される第２分岐管（62b）とを有する分岐配管である。また、第１分岐管（62a）と第２分岐管（62b）には、それぞれ第１切り換え弁（63）及び第２切り換え弁（64）が設けられている。第１切り換え弁（63）と第２切り換え弁（64）により、上記流路切り換え回路（65）が構成されている。
【００３９】
室内ユニット（3）は、室内熱交換器（71）と室内膨張弁（72）とを有している。室内ユニット（3）は、第１室内連絡配管ポート（3a）と第２室内連絡配管ポート（3b）を有し、第１室内連絡配管ポート（3a）と第２室内連絡配管ポート（3b）の間に、室内膨張弁（72）と室内熱交換器（71）が順に接続されている。
【００４０】
上記運転切り換えユニット（5）の第１中間連絡配管ポート（5c）と気液分離ユニット（4）の第１中間連絡配管ポート（4c）が中間部第１連絡配管（15）で接続され、運転切り換えユニット（5）の第２中間連絡配管ポート（5d）と気液分離ユニット（4）の第２中間連絡配管ポート（4d）が中間部第２連絡配管（16）で接続され、運転切り換えユニット（5）の第３中間連絡配管ポート（5e）と気液分離ユニット（4）の第３中間連絡配管ポート（4e）が中間部第３連絡配管（17）で接続されている。中間部第１連絡配管（15）は液側連絡配管の一部を構成しており、中間部第２連絡配管（16）と中間部第３連絡配管（17）はガス側連絡配管の一部を構成している。
【００４１】
また、運転切り換えユニット（5）の第１室内連絡配管ポート（5a）と室内ユニット（3）の第１室内連絡配管ポート（3a）が室内部第１連絡配管（13）で接続され、運転切り換えユニット（5）の第２室内連絡配管ポート（5b）と室内ユニット（3）の第２室内連絡配管ポート（3b）が室内部第２連絡配管（14）で接続されている。室内部第１連絡配管（13）は液側連絡配管の一部を構成しており、室内部第２連絡配管（14）はガス側連絡配管の一部を構成している。
【００４２】
次に、上記切り換え機構（23）の設定について、図２を用いて説明する。本実施形態において、上記切り換え機構（23）は、冷房負荷よりも暖房負荷が大きな暖房主体運転時（図２（Ａ）参照）に、負荷に応じて冷媒の流れ方向を切り換えるように構成されている。具体的には、暖房主体運転は全暖房負荷運転と冷暖同負荷運転との間で行われる運転であり、上記切り換え機構（23）は、この暖房主体運転時に、全暖房負荷から一部冷房負荷までの領域である第１負荷領域（第１暖房主体運転を行う領域）と、該一部冷房負荷から冷暖同負荷までの領域である第２負荷領域（第２暖房主体運転を行う領域）とで、上記室外部第１連絡配管（11）及び室外部第２連絡配管（12）における冷媒流れ方向を切り換えるように構成されている。
【００４３】
上記切り換え機構（23）は、図２（Ｂ）に示すように、上記第１負荷領域（第１暖房主体運転領域）では高圧ガス冷媒が室外部第２連絡配管（12）を通って室外ユニット（2）から室内ユニット（3）へ流れるとともに低圧二相冷媒が室外部第１連絡配管（11）を通って室内ユニット（3）から室外ユニット（2）へ流れ、上記第２負荷領域（第２暖房主体運転領域）では高圧ガス冷媒が室外部第１連絡配管（11）を通って室外ユニット（2）から室内ユニット（3）へ流れるとともに低圧二相冷媒が室外部第２連絡配管（12）を通って室内ユニット（3）から室外ユニット（2）へ流れるように構成されている。
【００４４】
また、上記切り換え機構（23）は、上記第１負荷領域と第２負荷領域を含む暖房主体運転のすべての領域で、上記室外ユニット（2）に設けられている室外熱交換器（22）が蒸発器になる冷凍サイクルを上記冷媒回路（20）で行うように構成されている。
【００４５】
切り換え機構（23）は、上記配管切り換え部（25）と上記運転状態切り換え部（24）を含んでいる。また、上述したように、配管切り換え部（25）は切り換え回路（25）により構成され、運転状態切り換え部（24）は三方弁（24）により構成されている。
【００４６】
切り換え回路（25）は、第１負荷領域において上記圧縮機（21）から吐出された高圧冷媒を上記室外部第２連絡配管（12）に導入するとともに上記室内ユニット（3）から室外部第１連絡配管（11）を通って室外ユニット（2）に戻る低圧冷媒を室外熱交換器（22）に導入する第１位置（図６参照）と、第２負荷領域において上記圧縮機（21）から吐出された高圧冷媒を上記室外部第１連絡配管（11）に導入するとともに上記室内ユニット（3）から室外部第２連絡配管（12）を通って室外ユニット（2）に戻る低圧冷媒を室外熱交換器（22）に導入する第２位置（図７参照）とに切り換え可能に構成されている。
【００４７】
切り換え回路（25）が第１位置のときは、室外第２電動弁（36）と室外第４電動弁（38）が開いて室外第１電動弁（35）と室外第３電動弁（37）が閉鎖され、第２位置のときは、室外第１電動弁（35）と室外第３電動弁（37）が開いて室外第２電動弁（36）と室外第４電動弁（38）が閉鎖される。また、冷房主体運転時には、各電動弁（35，36，37，38）の開閉状態が暖房主体運転の第１位置や第２位置とは異なる状態になる。このときの各電動弁（35，36，37，38）の開閉状態については後述する。
【００４８】
三方弁（24）は、上記圧縮機（21）から吐出される高圧冷媒を上記切り換え回路（25）を通じて室外部第１連絡配管（11）または室外部第２連絡配管（12）に導入するとともに室外熱交換器（22）で蒸発した低圧冷媒を圧縮機（21）に導入する暖房主体運転時の第１位置（図６，７参照）と、上記圧縮機（21）から吐出される高圧冷媒を上記室外熱交換器（22）から切り換え回路（25）を通じて室外部第１連絡配管（11）に導入するとともに室外部第２連絡配管（12）から室外ユニット（2）に戻る冷媒を圧縮機（21）に導入する冷房主体運転時の第２位置（図８，９参照）とに切り換え可能に構成されている。三方弁（24）は、第１位置では第１ポート（24a）が閉鎖されて第２ポート（24b）と第３ポート（24c）が連通し、第２位置では第１ポート（24a）と第２ポート（24b）が連通して第３ポート（24c）が閉鎖される。
【００４９】
−空気調和装置（1）の施工方法−
次に、この空気調和装置（1）の施工方法について説明する。
【００５０】
本実施形態の空気調和装置（1）の施工方法は、室外ユニット（2）と複数の室内ユニット（3）とを備えて冷房と暖房を切り換える冷凍サイクルを冷媒回路で行う空気調和装置（1A）を、冷房と暖房が混在する冷凍サイクルが可能な冷媒回路を有する空気調和装置（1B）に更新する施工方法である。
【００５１】
図３には、室外ユニット（2）と複数の室内ユニット（3）とを備え、各室内ユニット（3）が室外ユニット（2）に対して第１連絡配管（11，13）と第２連絡配管（12，14）で並列に接続されて冷房と暖房を切り換え可能に構成された室内マルチタイプの既設（更新前）の空気調和装置（1A）を示している。また、図４には、冷房と暖房が混在する運転が可能な冷暖フリータイプに更新した後の本実施形態の空気調和装置（1B）を示している。図において、符号（7）はビルなどの建物、（7a）は空調対象の室内、（8）は室外の機械室である。なお、図５は、気液分離ユニット（4）と運転切り換えユニット（5）を一体化した一つの冷暖切り換えユニット（6）を用いた空気調和装置（1C）を比較例として示している。比較例の空気調和装置（1C）は、全体が新設される空気調和装置である。
【００５２】
本実施形態の施工方法には、運転切り換えユニット（5）を室内ユニット（3）ごとに接続する運転切り換えユニット接続工程と、気液分離ユニット（4）を室外ユニット（2）に接続する気液分離ユニット接続工程と、運転切り換えユニット（5）を気液分離ユニット（4）に並列に接続する配管接続工程とが含まれている。
【００５３】
運転切り換えユニット接続工程は、各室内ユニット（3）の冷媒流れ方向を冷暖切り換えに対応して切り換える運転切り換えユニット（5）を、既設連絡配管の一部である２本の室内部連絡配管（13，14）で室内ユニット（3）ごとに接続する工程である。
【００５４】
気液分離ユニット接続工程は、運転切り換えユニット（5）とは別体に構成され、液冷媒及びガス冷媒の流れを切り換える気液分離ユニット（4）を、既設連絡配管の他の一部である２本の室外部連絡配管（11，12）で室外ユニット（2）に接続する工程である。
【００５５】
配管接続工程は、上記運転切り換えユニット（5）を、気液分離ユニット（4）に対して、既設連絡配管の他の一部である２本の中間部連絡配管（15，16）と、新設される１本の中間部連絡配管（17）とで並列に接続する工程である。
【００５６】
本実施形態の施工方法において、運転切り換えユニット接続工程を最初の工程にしてもよいし、気液分離ユニット接続工程を最初の工程にしてもよい。また、配管接続工程は第２の工程にしてもよいし、最後の工程にしてもよい。
【００５７】
−運転動作−
次に、本実施形態の空気調和装置（1）の運転動作を説明する。
【００５８】
本実施形態では、図２の暖房主体運転の第１負荷領域において第１暖房主体運転が行われ、暖房主体運転の第２負荷領域において第２暖房主体運転が行われる。また、冷房主体運転のうち暖房負荷も処理する領域で第１冷房主体運転が行われ、全冷房運転となる領域で第２冷房主体運転が行われる。
【００５９】
以下の説明では、図１，６〜９の上から下へ順に、室内ユニット（3）を必要に応じて第１室内ユニット（3A）、第２室内ユニット（3B）及び第３室内ユニット（3C）と称し、運転切り換えユニット（5）を必要に応じて第１運転切り換えユニット（5A）、第２運転切り換えユニット（5B）及び第３運転切り換えユニット（5C）と称する。
【００６０】
〈第１暖房主体運転〉
第１暖房主体運転は、全空調負荷のうち、冷房負荷がゼロから約２０％程度と少ない第１負荷領域で行われる運転である。第１暖房主体運転の例として全暖房運転を図６に基づいて説明する。
【００６１】
このとき、室外ユニット（2）では、三方弁（24）が第１位置に設定され、切り換え回路（25）が第１位置に設定され、電磁弁（29）が閉鎖される。気液分離ユニット（4）では、中間第３電動弁（59b）が開放され、中間第１電動弁（58）と中間第２電動弁（59a）と中間第４電動弁（59c）が閉鎖される。各運転切り換えユニット（5）では、第２切り換え弁（64）が開放され、第１切り換え弁（63）が閉鎖される。各室内ユニット（3）では、室内膨張弁（72）が開放される。
【００６２】
圧縮機（21）を起動すると、吐出された高圧ガス冷媒は、切り換え回路（25）を通って室外部第２連絡配管（12）から気液分離ユニット（4）に流入する。高圧ガス冷媒は、気液分離器（41）を通って中間部第３連絡配管（17）から各運転切り換えユニット（5）に流入し、さらに室内部第２連絡配管（14）を通って各室内ユニット（3）へ流入する。冷媒は室内熱交換器（71）で凝縮して室内空気を加熱した後、各室内ユニット（3）から流出し、室内部第１連絡配管（13）、各運転切り換えユニット（5）、中間部第１連絡配管（15）を通って気液分離ユニット（4）へ流入する。液冷媒は、中間部第３電動弁、冷媒流路切り換え回路（42）、及び室外部第１連絡配管（11）を通り、室外ユニット（2）へ戻る。室外ユニット（2）に流入した液冷媒は、切り換え回路（25）の室外第２電動弁（36）で膨脹した後に室外熱交換器（22）で蒸発し、圧縮機（21）に吸入される。
【００６３】
冷媒が以上のようにして冷媒回路（20）を循環することにより、室内ユニット（3）のすべてで暖房が行われる。
【００６４】
なお、上述の例では、中間第３電動弁（59b）が開放され、切り換え回路（25）の室外第２電動弁（36）で冷媒を膨脹させる例を説明したが、中間第３電動弁（59b）で冷媒を膨脹させ、室外第２電動弁（36）を開放する構成でもよく、両方の電動弁（59b，36）を用いれ冷媒を膨脹させてもよい。
【００６５】
また、図６では第１暖房主体運転として全暖房運転を説明したが、第１暖房主体運転には、図７に示すように複数の室内ユニット（3）の一部で冷房を行う運転も含まれる。
【００６６】
このとき、室外ユニット（2）では、三方弁（24）が第１位置に設定され、切り換え回路（25）が第１位置に設定され、電磁弁（29）が閉鎖される。また、室外第２電動弁（36）は開放される。気液分離ユニット（4）では、中間第３電動弁（59b）が所定開度に調整され、中間第１電動弁（58）と中間第２電動弁（59a）と中間第４電動弁（59c）が閉鎖される。暖房を行う第１運転切り換えユニット（5A）と第２運転切り換えユニット（5B）では、第２切り換え弁（64）が開放され、第１切り換え弁（63）が閉鎖され、冷房を行う第３運転切り換えユニット（5C）では、第１切り換え弁（63）が開放され、第２切り換え弁（64）が閉鎖される。
【００６７】
圧縮機（21）を起動すると、吐出された高圧ガス冷媒は、切り換え回路（25）を通って室外部第２連絡配管（12）から気液分離ユニット（4）に流入する。高圧ガス冷媒は、気液分離器（41）を通って中間部第３連絡配管（17）から第１，第２運転切り換えユニット（5A，5B）に流入し、さらに室内部第２連絡配管（14）を通って第１，第２室内ユニット（3A，3B）へ流入する。冷媒は室内熱交換器（71）で凝縮して室内空気を加熱した後、第１，第２室内ユニット（3A，3B）から流出し、室内部第１連絡配管（13）、第１，第２運転切り換えユニット（5A，5B）を通り、中間部第１連絡配管（15）で気液分離ユニット（4）へ流入する冷媒と、第３運転切り換えユニット（5C）へ流入する冷媒に分流する。
【００６８】
第３運転切り換えユニット（5C）から、冷媒は室内部第１連絡配管（13）を通って第３室内ユニット（3C）へ流入して室内熱交換器（71）で蒸発し、室内部第２連絡配管（14）から中間部第２連絡配管（16）を通って気液分離ユニット（4）に戻る。
【００６９】
中間部第１連絡配管（15）から気液分離ユニット（4）に流入した液冷媒は、中間第３電動弁（59b）で減圧され、低圧二相冷媒になって第２接続管（52）へ流入する。中間部第２連絡配管（16）から気液分離ユニット（4）に流入したガス冷媒は、第１接続管（51）、第１接続点（P21）、通路（43a）、及び第２接続点（P22）を通って、第２接続管（52）の低圧二相冷媒と合流する。合流した冷媒は低圧二相である。
【００７０】
この低圧二相冷媒は、室外部第１連絡配管（11）を通って室外ユニット（2）へ戻り、切り換え回路（25）の室外第２電動弁（36）を通過した後に室外熱交換器（22）で蒸発し、圧縮機（21）に吸入される。
【００７１】
冷媒が以上のようにして冷媒回路（20）を循環することにより、室内ユニット（3）のほとんどで暖房が行われ、一部で冷房が行われる。
【００７２】
〈第２暖房主体運転〉
このとき、室外ユニット（2）では、三方弁（24）が第１位置に設定され、切り換え回路（25）が第２位置に設定され、電磁弁（29）が閉鎖される。気液分離ユニット（4）では、中間第２電動弁（59a）と中間第４電動弁（59c）が開放され、中間第１電動弁（58）と中間第３電動弁（59b）が閉鎖される。第１，第２運転切り換えユニット（5A，5B）では、第１切り換え弁（63）が閉鎖され、第２切り換え弁（64）が開放される。第３運転切り換えユニット（5C）では、第１切り換え弁（63）が開放され、第２切り換え弁（64）が閉鎖される。また、第１，第２室内ユニット（3A，3B）では室内膨張弁（72）が開放され、第３室内ユニット（3C）では室内膨張弁（72）の開度が調整される。
【００７３】
この状態で圧縮機（21）から吐出された高圧ガス冷媒は、切り換え回路（25）を通って室外部第１連絡配管（11）から気液分離ユニット（4）に流入する。高圧ガス冷媒は、冷媒流路切り換え回路（42）を通って気液分離器（41）に流入する。高圧ガス冷媒は気液分離器（41）のガス冷媒流出口（41b）から流出して中間部第３連絡配管（17）を通り、各運転切り換えユニット（5）に流入する。
【００７４】
上述したように、第１，第２運転切り換えユニット（5A，5B）では、第２切り換え弁（64）が開放され、第１切り換え弁（63）が閉鎖されている。また、第３運転切り換えユニット（5C）では、第１切り換え弁（63）が開放され、第２切り換え弁（64）が閉鎖されている。したがって、第１，第２運転切り換えユニット（5A，5B）から室内部第２連絡配管（14）を通って、第１，第２室内ユニット（3A，3B）へ冷媒が流入する。この第１，第２室内ユニット（3A，3B）では冷媒が凝縮して放熱し、室内空気が加熱される。凝縮した液冷媒は第１，第２運転切り換えユニット（5A，5B）に戻り、一部が第３運転切り換えユニット（5C）へ向かい、他の一部が気液分離ユニット（4）へ向かう。
【００７５】
第３運転切り換えユニット（5C）に流入した液冷媒は、さらに室内部第１連絡配管（13）を通って第３室内ユニット（3C）に流入し、室内膨張弁（72）で減圧されて低圧二相冷媒となる。この低圧二相冷媒は室内熱交換器（71）で蒸発してガス冷媒になり、第３室内ユニット（3C）から室内部第１連絡配管（13）を通って第３運転切り換えユニット（5C）に流入する。第３運転切り換えユニット（5C）に流入したガス冷媒は、第１分岐管（62a）から中間部第２連絡配管（16）を通って気液分離ユニット（4）に流入する。
【００７６】
気液分離ユニット（4）では、第１，第２運転切り換えユニット（5A，5B）から流入した液冷媒が中間第２電動弁（59a）で減圧されて低圧二相冷媒となり、第３運転切り換えユニット（5C）から流入した低圧ガス冷媒と合流する。低圧二相冷媒と低圧ガス冷媒が混合された冷媒は低圧二相冷媒であり、この低圧二相冷媒は冷媒流路切り換え回路（42）から室外部第２連絡配管（12）を通って室外ユニット（2）に戻っていく。室外ユニット（2）に戻った低圧二相冷媒は、切り換え回路（25）を通って室外熱交換器（22）に流入し、室外空気と熱交換して蒸発する。室外熱交換器（22）で蒸発した低圧ガス冷媒は、三方弁（24）を通って圧縮機（21）に吸入される。
【００７７】
冷媒が以上のようにして冷媒回路（20）を循環することにより、第１，第２室内ユニット（3A，3B）で暖房をし、第３室内ユニット（3C）で冷房をする冷凍サイクルが行われる。
【００７８】
〈第１冷房主体運転〉
次に、第１冷房主体運転として、第１室内ユニット（3A）で暖房をし、第２，第３室内ユニット（3B，3C）で冷房をする状態を、図９に基づいて説明する。
【００７９】
このとき、室外ユニット（2）では、三方弁（24）が第２位置に設定され、切り換え回路（25）の室外第１電動弁（35）と室外第２電動弁（36）が開放され、室外第３電動弁（37）と室外第４電動弁（38）が閉鎖される。また、電磁弁（29）は開放される。気液分離ユニット（4）では、中間第１電動弁（58）と中間第４電動弁（59c）が開放され、中間第２電動弁（59a）と中間第３電動弁（59b）が閉鎖される。第１運転切り換えユニット（5A）では、第１切り換え弁（63）が閉鎖され、第２切り換え弁（64）が開放される。また、第２，第３運転切り換えユニット（5B，5C）では、第１切り換え弁（63）が開放され、第２切り換え弁（64）が閉鎖される。第１室内ユニット（3A）では室内膨張弁（72）が開放され、第２，第３室内ユニット（3B，3C）では、室内膨張弁（72）の開度が調整される。
【００８０】
この状態で圧縮機（21）から吐出された高圧ガス冷媒は、一部が三方弁（24）を通って室内外熱交換器へ流入し、該室外熱交換器（22）で凝縮して液冷媒となり、切り換え回路（25）に流入する。また、圧縮機（21）から吐出された高圧ガス冷媒の他の一部は、ガス冷媒のまま切り換え回路（25）に流入する。そして、液冷媒とガス冷媒が切り換え回路（25）で混合されて高圧二相冷媒になり、室外部第１連絡配管（11）を通って気液分離ユニット（4）に流入する。
【００８１】
気液分離ユニット（4）に流入した高圧二相冷媒は、冷媒流路切り換え回路（42）を通って気液分離器（41）に流入し、液冷媒とガス冷媒に分離される。ガス冷媒は、中間部第３連絡配管（17）から第１運転切り換えユニット（5A）へ流入し、さらに室内部第２連絡配管（14）を通って第１室内ユニット（3A）に流入する。第１室内ユニット（3A）では、室内熱交換器（71）において冷媒が凝縮して放熱し、室内空気が加熱される。第１室内ユニット（3A）の室内熱交換器（71）で凝縮した液冷媒は、気液分離器（41）から流出した液冷媒と合流し、第２，第３運転切り換えユニット（5B，5C）へ向かう。
【００８２】
第２，第３運転切り換えユニット（5B，5C）に流入した液冷媒は、室内部第１連絡配管（13）を通って第２，第３室内ユニット（3B，3C）へ流入し、室内膨張弁（72）で減圧された後に室内熱交換器（71）で蒸発する。このとき、室内空気が冷却される。室内熱交換器（71）を通過したガス冷媒は、室内部第２連絡配管（14）、第２，第３運転切り換えユニット（5B，5C）、中間部第２連絡配管（16）を通って気液分離ユニット（4）に流入する。この冷媒は、気液分離ユニット（4）の冷媒流路切り換え回路（42）と室外部第２連絡配管（12）を通って室外ユニット（2）へ戻り、電磁弁（29）を通って圧縮機（21）に吸入される。
【００８３】
冷媒が以上のようにして冷媒回路（20）を循環することにより、第１室内ユニット（3A）で暖房をし、第２，第３室内ユニット（3B，3C）で冷房をする冷凍サイクルが行われる。
【００８４】
〈第２冷房主体運転〉
次に、全冷房運転である第２冷房主体運転を、図１０に基づいて説明する。
【００８５】
このとき、室外ユニット（2）では、三方弁（24）が第２位置に設定され、切り換え回路（25）の室外第２電動弁（36）が開放され、室外第１電動弁（35）と室外第３電動弁（37）と室外第４電動弁（38）が閉鎖される。また、電磁弁（29）は開放される。気液分離ユニット（4）では、中間第３電動弁（59b）が開放され、中間第１電動弁（58）と中間第２電動弁（59a）と中間第４電動弁（59c）が閉鎖される。各運転切り換えユニット（5）では、第１切り換え弁（63）が開放され、第２切り換え弁（64）が閉鎖される。各室内ユニット（3）では、室内膨張弁（72）の開度が調整される。
【００８６】
この状態で圧縮機（21）から吐出された高圧ガス冷媒は、三方弁（24）を通って室外熱交換器（22）へ流入し、該室外熱交換器（22）で凝縮して液冷媒となる。この高圧液冷媒は切り換え回路（25）を通り、さらに室外部第１連絡配管（11）を通って気液分離ユニット（4）に流入する。
【００８７】
気液分離ユニット（4）に流入した高圧液冷媒は、中間第４電動弁（59c）が閉鎖されているので、冷媒流路切り換え回路（42）と気液分離器（41）を通過せず、中間第３電動弁（59b）を通って中間部第１連絡配管（15）から流出し、各運転切り換えユニット（5）に流入する。
【００８８】
高圧液冷媒は、各運転切り換えユニット（5）を通過し、室内部第１連絡配管（13）から各室内ユニット（3）へ流入する。高圧液冷媒は各室内ユニット（3）の室内膨張弁（72）で減圧され、室内熱交換器（71）で蒸発する。室内熱交換器（71）で蒸発したガス冷媒は、室内部第２連絡配管（14）と運転切り換えユニット（5）の第１分岐管（62a）と中間部第２連絡配管（16）を通って気液分離ユニット（4）に流入する。この低圧ガス冷媒は、気液分離ユニット（4）の冷媒流路切り換え回路（42）と室外部第２連絡配管（12）を通って室外ユニット（2）に戻る。室外ユニット（2）に戻った低圧ガス冷媒は電磁弁（29）を通って圧縮機（21）に吸入される。
【００８９】
冷媒が以上のようにして冷媒回路（20）を循環することにより、室内ユニット（3）のすべてで冷房をする冷凍サイクルが行われる。
【００９０】
−実施形態１の効果−
本実施形態によれば、室外ユニット（2）と複数の室内ユニット（3）とを備えて冷房と暖房を切り換える冷凍サイクルを冷媒回路で行う空気調和装置を、冷房と暖房が混在する冷凍サイクルが可能な冷媒回路（20）を有する空気調和装置に更新する際に、運転切り換えユニット接続工程と、気液分離ユニット接続工程と、配管接続工程の各工程が行われる。そして、こうすることにより、冷房と暖房を切り換えて行う空気調和装置を冷暖フリーの空気調和装置に容易に更新することができる。また、室外部連絡配管（11，12）と室内部連絡配管（13，14）と中間部連絡配管（15，16）は既設の連絡配管を用いることができ、新設の連絡配管は１本の中間部連絡配管（17）を追加するだけである。従って、施工を低コストで行うことができる。
【００９１】
《その他の実施形態》
上記実施形態については、以下のような構成としてもよい。
【００９２】
例えば、上記実施形態において、上記実施形態では切り換え回路（25）を４つの電動弁（35，36，37，38）で構成しているが、切り換え回路（25）の構成は適宜変更してもよい。また、上記実施形態では運転状態切り換え部として三方弁（24）を用いているが、三方弁以外の切り換え機構を用いてもよい。
【００９３】
また、上記実施形態における冷媒回路の構成は適宜変更してもよい。
【００９４】
要するに、本発明においては、暖房主体運転時に、冷房負荷が小さな第１負荷領域と、それよりも冷房負荷が大きな第２負荷領域とで、連絡配管（11，12）における冷媒流れ方向を切り換える切り換え機構（23）を設け、第２負荷領域では低圧冷媒を第１連絡配管（11）よりも太い第２連絡配管（12）で室内ユニット（3）から室外ユニット（2）へ流すようにしている限り、他の構成は変更してもよい。
【００９５】
以上の実施形態は、本質的に好ましい例示であって、本発明、その適用物、あるいはその用途の範囲を制限することを意図するものではない。
【産業上の利用可能性】
【００９６】
以上説明したように、本発明は、複数の室内熱交換器を有すし、冷房と暖房が混在する運転を行えるように構成された空気調和装置について有用である。
【符号の説明】
【００９７】
1   空気調和装置
2   室外ユニット
3   室内ユニット
4   気液分離ユニット
5   運転切り換えユニット
11  室外部第１連絡配管（室外部連絡配管）
12  室外部第２連絡配管（室外部連絡配管）
13  室内部第１連絡配管（室内部連絡配管）
14  室内部第２連絡配管（室内部連絡配管）
15  中間部第１連絡配管（中間部連絡配管）
16  中間部第２連絡配管（中間部連絡配管）
17  中間部第３連絡配管（中間部連絡配管）
20  冷媒回路
41  気液分離器
42  冷媒流路切り換え回路
65  流路切り換え回路
【図１】
2014129948.tif 000003
【図２】
2014129948.tif 000004
【図３】
2014129948.tif 000005
【図４】
2014129948.tif 000006
【図５】
2014129948.tif 000007
【図６】
2014129948.tif 000008
【図７】
2014129948.tif 000009
【図８】
2014129948.tif 000010
【図９】
2014129948.tif 000011
【図１０】
2014129948.tif 000012